(57)【要約】      （修正有）【課題】位置の異なる第１ネットワーク領域および第２ネットワーク領域を含む企業ネットワークを提供すること。【解決手段】第１ネットワーク領域２０２および第２ネットワーク領域２０６は、それぞれ、第１ゲートウエイ２２０および第２ゲートウエイ２２４、ならびに第１グループおよび第２グループのトランクを備える。共通アドレスが、第２グループのトランクに関連付けられる。メディア・サーバ２００が、ゲートウエイ間経路指定エージェント２６０を含む第１ネットワーク領域２０２に配置される。第１ネットワーク領域は、第１加入者と第２加入者との間における通信の確立の一部として、共通アドレスを第２ゲートウエイ２２４に送信する。外出通信が第２ゲートウエイ２２４によって応答された後、第１ネットワーク領域は、第２加入者および／またはファントム・ユーザに関連付けられたユーザ識別子を、第２ゲートウエイ２２４にバンド内送信する。【選択図】図２
2006238419.tif 000002
【特許請求の範囲】
【請求項１】
企業ネットワークの加入者間の通信を実施する方法であって、
（ａ）企業ネットワークの地理的に位置が異なる第１ネットワーク領域および第２ネットワーク領域を提供するステップであって、前記第１ネットワーク領域および前記第２ネットワーク領域が、第１ネットワークおよび第２ネットワークを経て互いに通信し、それぞれ、第１ゲートウエイおよび第２ゲートウエイ、ならびに前記第１ネットワークおよび前記第２ネットワークの一方に接続された第１グループおよび第２グループのトランクを備え、前記第１グループおよび前記第２グループのそれぞれが、複数のトランクを備え、共通電子アドレスが、前記第２グループのトランクに関連付けられるステップと、
（ｂ）前記第１ネットワーク領域が、第１加入者から、前記第２ネットワーク領域の第２加入者と少なくともほぼ実時間の通信セッションを開始する要求を受信するステップであって、前記要求が、前記第２加入者を識別する第１電子アドレスを備えるステップと、
（ｃ）前記第１ネットワーク領域が、外出通信において前記共通電子アドレスを前記第２ネットワーク領域に送信するステップと、
（ｄ）外出通信が前記第２ネットワーク領域によって応答された後、前記外出通信と共に固有識別子を前記第２ネットワーク領域にバンド内送信するステップであって、前記識別子が、前記第２加入者との前記通信セッションを確立するために使用され、前記セッションのベアラ経路が、前記外出通信および前記固有識別子を送信するために使用されるネットワーク上にあるステップとを備える、方法。
【請求項２】
前記識別子が、前記第２ユーザおよびファントム・ユーザの少なくとも一方に関連付けられたユーザ識別子であり、前記第１ネットワークが、パケット切替えであり、前記第２ネットワークが、回路切替えであり、前記共通電子アドレスおよび前記第１電子アドレスが、それぞれ電話番号であり、前記ほぼ実時間の通信セッションが、ライブ・ボイス・コールであり、前記第２グループのトランクのそれぞれが、回路切替えであり、かつ回路切替えネットワークに接続され、さらに、
（ｃ１）前記第１ネットワーク領域が、以下の条件：（ｉ）前記ライブ・ボイス・コールのベアラ経路が前記第１ネットワーク上で構成される場合、所定の数の前記ライブ・ボイス・コールおよびライブ・ボイス・コールについて割りつけられた帯域幅の少なくとも１つに到達している、および／または到達する、（ｉｉ）前記ライブ・ボイス・コールのベアラ・チャネルが、前記第１ネットワーク上で構成される場合、リソースの枯渇が生じている、および／または生じる、（ｉｉｉ）前記第１ネットワーク領域と前記第２ネットワーク領域との間における前記第１ネットワーク上の送信に関して、コデック・セットが規定されない、（ｉｖ）前記第１ネットワーク領域と前記第２ネットワーク領域との間において、前記第１ネットワークから前記第２ネットワークへの強制再方向付けが実施される、および（ｖ）前記第１ネットワーク領域または前記第２ネットワーク領域のメディア・サーバが、前記第１ネットワーク領域および前記第２ネットワーク領域の他方にあるゲートウエイの制御を失っている、の少なくとも１つが存在すると判定するステップを備える、請求項１に記載の方法。
【請求項３】
条件（ｉ）が存在し、前記ユーザ識別子が、前記ファントム・ユーザに関連付けられ、前記ユーザ識別子が、前記第１トランク・グループの外出トランクを前記第２トランク・グループの入りトランクに関連付けるために使用される、請求項２に記載の方法。
【請求項４】
条件（ｉｉ）が存在し、前記ユーザ識別子が、前記ファントム・ユーザに関連付けられ、前記ユーザ識別子が、前記第１トランク・グループの外出トランクを前記第２トランク・グループの入りトランクに関連付けるために使用される、請求項２に記載の方法。
【請求項５】
条件（ｉｉｉ）が存在し、前記ユーザ識別子が、前記ファントム・ユーザに関連付けられ、前記ユーザ識別子が、前記第１トランク・グループの外出トランクを前記第２トランク・グループの入りトランクに関連付けるために使用される、請求項２に記載の方法。
【請求項６】
条件（ｉｖ）が存在し、前記ユーザ識別子が、前記ファントム・ユーザに関連付けられ、前記ユーザ識別子が、前記第１トランク・グループの外出トランクを前記第２トランク・グループの入りトランクに関連付けるために使用される、請求項２に記載の方法。
【請求項７】
条件（ｖ）が存在し、前記ユーザ識別子が、前記第２ユーザに関連付けられる、請求項２に記載の方法。
【請求項８】
前記識別子が、前記第２ユーザおよびファントム・ユーザの少なくとも一方に関連付けられたユーザ識別子であり、前記共通電子アドレスおよび前記第１電子アドレスが、それぞれ電話番号であり、前記ほぼ実時間の通信セッションが、ライブ・ボイス・コールであり、前記ユーザ識別子が、前記ファントム・ユーザに関連付けられ、第１ファントム・ユーザが、前記第１ネットワーク領域によって決定され、第２ファントム・ユーザが、前記第２ネットワーク領域によって決定され、前記第２ネットワーク領域に送信された前記ユーザ識別子が、第１ファントム・ユーザ識別子であり、第１通信関係データ構造が、第１電話番号に関連付けられ、第２通信関係データ構造が、前記外出通信および前記第１ファントム・ユーザに関連付けられ、第３通信関係データ構造が、前記第２ネットワーク領域から前記第１ネットワーク領域および前記第２ファントム・ユーザへの入り通信と関連付けられ、ステップ（ｄ）が、
（ｄ１）前記ユーザ識別子に対応するデジットを収集する準ステップと、
（ｄ２）前記第１ファントム・ユーザを前記第２ファントム・ユーザと関連付ける準ステップと、
（ｄ３）前記関連付けるステップに基づいて、前記外出通信に関連付けられた第１ポート識別子、および前記入り通信に関連付けられた第２ポート識別子を決定する準ステップと、
（ｄ４）前記第１ポート識別子および前記第２ポート識別子に関連付けられたポートを接続する準ステップとを含む、請求項１に記載の方法。
【請求項９】
前記識別子が、前記第２ユーザおよびファントム・ユーザの少なくとも一方に関連付けられたユーザ識別子であり、ステップ（ｄ）が、
（ｄ１）通信が、ネットワーク断片化タイプ・コールまたは帯域幅管理タイプ・コールであるかを示す通信タイプ識別子をバンド内送信する準ステップであって、前記通信タイプ識別子がネットワーク断片化タイプ・コールを示すとき、前記ユーザ識別子が、前記第２ユーザに関連付けられ、前記通信タイプ識別子が帯域幅管理タイプ・コールを示すとき、前記ユーザ識別子が、前記ファントム・ユーザに関連付けられる準ステップを含む、請求項１に記載の方法。
【請求項１０】
前記第１ネットワーク領域が、第１の複数の加入者を備え、前記第２ネットワーク領域が、異なる第２の複数の加入者を備え、さらに、
（ｅ）前記第１の複数の加入者のメンバと前記第２の複数の加入者のメンバとの間において、複数の同時ベアラ接続を確立するステップであって、前記複数のベアラ接続が、前記共通電子アドレスに終端するステップと、
（ｆ）前記第１加入者と前記第２加入者との間における前記通信セッションを終了した後、前記第１ゲートウエイと前記第２ゲートウエイとの間においてトランク接続をキャッシュするステップであって、前記トランク接続が、前記通信セッション中に使用されているステップとをさらに備える、請求項１に記載の方法。
【請求項１１】
請求項１のステップを実施するためのコンピュータ可読媒体。
【請求項１２】
企業ネットワークの地理的に位置が異なる第１ネットワーク領域および第２ネットワーク領域であって、パケット切替えネットワークおよび回路切替えネットワークを経て互いに通信し、それぞれ、
電子信号を繰り返し、かつプロトコルを変換する第１および第２ゲートウエイ手段と、
通信信号を搬送し、かつパケット切替えネットワークおよび回路切替えネットワークの一方に接続される第１グループおよび第２グループのトランク手段であって、共通電話番号が、前記第２グループのトランク手段に関連付けられ、前記第２グループのトランク手段が、複数のトランクを備える、第１グループおよび第２グループのトランク手段とを備える第１ネットワーク領域および第２ネットワーク領域と、
前記第１ネットワーク領域に配置される、通信処理を実施するためのメディア・サーバ手段であって、
第１加入者から、かつ前記第２ネットワーク領域の第２加入者とのライブ・ボイス通信を開始する要求の一部として、前記第２ネットワーク領域の前記第２加入者を識別する第１電話番号を受信するコール制御手段と、
前記共通電話番号を通信用ベアラ経路上において前記第２ゲートウエイ手段に送信し、前記共通電話番号が前記第２ゲートウエイ手段によって受信された後、前記第２ゲートウエイ手段に固有識別子をバンド内送信し、前記識別子が、前記第２加入者との通信を確立するために使用される、ゲートウエイ間経路指定エージェント手段とを備えるメディア・サーバ手段とを備える、企業ネットワーク。
【請求項１３】
前記識別子が、前記第２ユーザおよびファントム・ユーザの少なくとも一方に関連付けられたユーザ識別子であり、前記第２グループのトランク手段のそれぞれが、回路切替えであり、かつ前記回路切替えネットワークに接続され、前記コール制御手段が、以下の条件：（ｉ）前記ライブ・ボイス・コールのベアラ・チャネルが前記第１ネットワーク上において構成される場合、所定の数の前記ライブ・ボイス・コールおよびライブ・ボイス・コールに割り付けられた帯域幅の少なくとも１つに到達している、および／または到達する、（ｉｉ）前記ライブ・ボイス・コールのベアラ・チャネルが前記第１ネットワーク上で構成される場合、リソースの枯渇が生じている、および／または生じる、（ｉｉｉ）前記第１ネットワーク領域と前記第２ネットワーク領域との間における前記第１ネットワーク上の送信に関して、コデック・セットが規定されない、（ｉｖ）前記第１ネットワーク領域と前記第２ネットワーク領域との間において、前記第１ネットワークから前記第２ネットワークへの強制再方向付けが実施される、および（ｖ）前記第１ネットワーク領域または前記第２ネットワーク領域の前記メディア・サーバ手段が、前記第１ネットワーク領域および前記第２ネットワーク領域の他方にある前記ゲートウエイ手段の制御を失っている、の少なくとも１つが存在すると判定する、請求項１２に記載のネットワーク。
【請求項１４】
条件（ｉ）が存在し、前記ユーザ識別子が、前記ファントム・ユーザに関連付けられ、前記ユーザ識別子が、前記第１トランク手段グループの外出トランクを前記第２トランク手段グループの入りトランクに関連付けるために使用される、請求項１３に記載のネットワーク。
【請求項１５】
条件（ｉｉ）が存在し、前記ユーザ識別子が、前記ファントム・ユーザに関連付けられ、前記ユーザ識別子が、前記第１トランク手段グループの外出トランクを前記第２トランク手段グループの入りトランクに関連付けるために使用される、請求項１３に記載のネットワーク。
【請求項１６】
条件（ｉｉｉ）が存在し、前記ユーザ識別子が、前記ファントム・ユーザに関連付けられ、前記ユーザ識別子が、前記第１トランク手段グループの外出トランクを前記第２トランク手段グループの入りトランクに関連付けるために使用される、請求項１３に記載のネットワーク。
【請求項１７】
条件（ｉｖ）が存在し、前記ユーザ識別子が、前記ファントム・ユーザに関連付けられ、前記ユーザ識別子が、前記第１トランク手段グループの外出トランクを前記第２トランク手段グループの入りトランクに関連付けるために使用される、請求項１３に記載のネットワーク。
【請求項１８】
条件（ｖ）が存在し、前記ユーザ識別子が、前記第２ユーザに関連付けられる、請求項１３に記載のネットワーク。
【請求項１９】
前記識別子が、前記第２ユーザおよびファントム・ユーザの少なくとも一方に関連付けられたユーザ識別子であり、前記ユーザ識別子が、前記ファントム・ユーザに関連付けられ、第１ファントム・ユーザが、前記第１ネットワーク領域によって決定され、第２ファントム・ユーザが、前記第２ネットワーク領域によって決定され、前記第２ネットワーク領域に送信された前記ユーザ識別子が、前記第１ファントム・ユーザ識別子であり、第１通信関係データ構造が、前記第１電話番号に関連付けられ、第２通信関係データ構造が、前記共通電話番号および前記第１ファントム・ユーザを含む外出通信に関連付けられ、第３通信関係データ構造が、前記第２ネットワーク領域から前記第１ネットワーク領域および前記第２ファントム・ユーザへの入り通信と関連付けられ、前記経路指定エージェント手段が、関連付け関数に基づいて、前記第１ファントム・ユーザを前記第２ファントム・ユーザと関連付け、前記外出通信と関連付けられた第１ポート識別子および前記入り通信と関連付けられた第２ポート識別子を決定して、前記第１ポート識別子および前記第２ポート識別子と関連付けられた前記ポートの接続を実施し、前記第１ネットワーク領域が、第１セットの加入者を備え、前記第２ネットワーク領域が、異なる第２セットの加入者を備え、前記メディア・サーバ手段が、前記第１セットの加入者のメンバと前記第２セットの加入者のメンバとの間において複数の同時ベアラ接続を確立し、前記複数のベアラ接続が、前記共通電話番号に終端する、請求項１２に記載のネットワーク。
【請求項２０】
前記識別子が、前記第２ユーザおよびファントム・ユーザの少なくとも一方に関連付けられたユーザ識別子であり、前記バンド内送信が、通信がネットワーク断片化タイプ・コールまたは帯域幅管理タイプ・コールであるかを示す通信タイプ識別子を備え、前記通信タイプ識別子が、ネットワーク断片化タイプ・コールを示すとき、前記ユーザ識別子が、前記第２ユーザに関連付けられ、前記通信タイプ識別子が帯域幅管理タイプ・コールを示すとき、前記ユーザ識別子が、前記ファントム・ユーザに関連付けられる、請求項１２に記載のネットワーク。
【発明の詳細な説明】
【技術分野】
【０００１】
本発明は、一般的に、収束通信ネットワークに関し、具体的には、ボイス通信の交互通信経路に関する。
【背景技術】
【０００２】
本出願は、参照によって本明細書に組み込まれている、同じ名称で同じ発明者への米国仮特許出願第６０／６４１６２９号、２００５年１月４日出願の３５Ｕ．Ｓ．Ｃ§１１９の下での利益を主張する。
【０００３】
参照によって本明細書に組み込まれている、本明細書と同時に出願され、「ＡＬＴＥＲＮＡＴＥ  ＲＯＵＴＩＮＧ  ＯＦ  ＭＥＤＩＡ  ＣＯＮＮＥＣＴＩＯＮＳ  ＷＩＴＨＩＮ  Ａ  ＳＩＮＧＬＥ  ＣＯＭＭＵＮＩＣＡＴＩＯＮＳ  ＳＹＳＴＥＭ  ＡＣＲＯＳＳ  ＰＵＢＬＩＣ  ＯＲ  ＰＲＩＶＡＴＥ  ＮＥＴＷＯＲＫ  ＦＡＣＩＬＩＴＩＥＳ」という名称の米国特許出願第＿／＿＿＿を相互参照する。
【０００４】
ＩＰネットワークは、一般に、電気通信システムの構成要素を地理的に分散させる優れたインフラストラクチャを提供する。基本となるＩＰネットワークは、制御シグナリングの送信に最適であり、帯域幅が利用可能であるとき、ボイス通信について、許容可能なサービス品質（またはＱｏＳ）あるいはサービル・グレード（またはＧＯＳ）を提供することができる。ボイス通信について利用可能なネットワーク・リソースが不十分であるとき、あるいは、１つまたは複数のＩＰネットワーク構成要素が停止しているとき、ボイス通信は、悪影響を受けることがある。
【０００５】
いくつかの技法が、これらの問題に対処するために試行されてきた。
一技法では、システムが、単一制御装置によって制御される複数の通信ゲートウエイを有し、これらのゲートウエイを相互接続する私設切替え設備が故障している場合、ユーザは、宛先パーティの公的アドレス（またはダイヤル・イン・ダイヤリングまたはＤＩＤ番号）を使用して、公衆ネットワーク・トランク上において「ダイヤル・アウト」することができる。この手法は、第１に問題が存在することを認識し、第２に問題をどのように回避するかを決定し、第３にＤＩＤ番号をダイヤルするために、ユーザによる手作業介入を必要とする。通常、発呼者は、宛先パーティに到達するために、拡張子（内線番号）のみをダイヤルする。到達すべき宛先パーティが公的番号を有さない場合、ユーザは、代替ネットワークによって到達可能ではない。
【０００６】
アバイア社（Ａｖａｙａ  Ｉｎｃ．）のＰＳＴＮ  Ｆａｌｌｂａｃｋ（商標）として既知の他の技法では、ＩＰトランク接続が、許容可能ではないＱｏＳまたはＧＯＳを経験するとき、コールはＰＳＴＮに強制される。図１を参照すると、複数企業アーキテクチャが示されており、各企業１００および１０４は、常駐コール制御装置機能を備える別々の独立した活動または１次メディア・サーバ１１２および１１６を有する。各企業は、複数のデジタル局１２０および１２４、複数のＩＰまたはインターネット・プロトコル局１２８および１３２、ゲートウエイ１３６および１４０、ならびにローカル・エリア・ネットワークすなわちＬＡＮ１４４および１４８をも含む。メディア・サーバ１１２および１１６は、１つの企業の１つのメディア・サーバが拡張子（内線番号）など、他の企業の加入者の加入者構成情報を一般に認識しないという点で、独立である。ゲートウエイ１３６および１４０は、公衆交換電話網すなわちＰＳＴＮ１４８およびワイド・エリア・ネットワークすなわちＷＡＮ１５２によって相互接続される。コールがＷＡＮ１５２の上に置かれるとき、発信コール制御装置は、現在測定されているネットワーク遅延およびパケット損失を決定する。どちらかの測定変数が所定の閾値に到達するとき、コール制御装置は、自動的にアイドルＩＰトランク・ポートをサービス外にする。すなわち、ポートを切る。ポートは、測定が低閾値に戻るまでサービス外にある。新しいコールは、ＩＰトランク上では許可されない。ＰＳＴＮ１４８上における通常または従来のコール経路指定は、経路パターンの次の優先順位にアクセスするために使用される。
【０００７】
アバイア社のＳｅｐａｒａｔｉｏｎ  ｏｆ  Ｂｅａｒｅｒ  ａｎｄ  Ｓｉｇｎａｌｉｎｇ（商標）（ＳＢＳ）として既知の他の技法では、コールのシグナリング・チャネルは、ＷＡＮ１５２上において経路指定され、一方、ベアラ・チャネルは、ＰＳＴＮ１４８上において経路指定される。ＳＢＳのシグナリング・チャネルは、ＳＢＳコール制御シグナリングおよびＱＳＩＧ私設ネットワーキング・プロトコル情報を含む。ＳＢＳは、シグナリングおよびベアラ・チャネルが、エンド・ユーザに対して通常の非分離コールとして出現するように、ＳＢＳ発信および終端ノードにおいてシグナリング・チャネルとベアラ・チャネルとを関連付ける。シグナリング・トラフィックについてＷＡＮを使用し、ボイス・ベアラ・トラフィックについてＰＳＴＮを使用することにより、シグナリング・トラフィックについてＩＰ  ＷＡＮにおいて少量の帯域幅を使用するという顧客の必要性に対処し、コールのボイス・ベアラ部分は、安価なＰＳＴＮ設備上において送信される。ＰＳＴＮ  Ｆａｌｌｂａｃｋと同様に、ＳＢＳ（商標）は、各企業が別々の独立した活動メディア・サーバを有する複数企業コールにおいて使用される。
【０００８】
ＰＳＴＮ  Ｆａｌｌｂａｃｋ（商標）およびＳＢＳ（商標）は、従来の相互切替えトランキング・プロトコルによって相互接続された複数の別々のシステム実施態様が存在するアーキテクチャに対処する。すなわち、ピア・トゥ・ピア・システムの相互接続のみを可能にする。より大きな単一サーバＩＰ  ＷＡＮ接続メディア・ゲートウエイ分散システムに移行すると、ＩＰトランクおよびＳＢＳはもはや必要ではない。管理されたＩＰトランク・メンバの限界をコール数が超えるとき、メディア・サーバ間において帯域幅を限定するためにトランク・グループ管理を使用することは、必要ではなく、ＰＳＴＮ  Ｆａｌｌｂａｃｋ（商標）も必要ではない。システムが、唯一の活動または１次サーバを有しており、かつシステムにわたるすべてのコールが、局間コールとして出現するとすれば、ＩＰ  ＷＡＮ設備上においてサーバ間に知的シグナリング・インタフェースを埋め込むことは、必要ではない。
【０００９】
ＩＰ帯域幅の使用を管理する他の技法は、コール許可制御を含み、コールに利用可能なＷＡＮまたは帯域幅にわたるコール数が限定される。コール許可制御の結果、ボイス・コールは拒否されて、被呼者のボイス・メール・サーバ（アクセス可能であれば）に転送されることがあり、それにより、発呼者に不満を感じさせることになる。
【特許文献１】米国仮特許出願第６０／６４１６２９号
【特許文献２】米国特許出願第＿／＿＿＿、名称「ＡＬＴＥＲＮＡＴＥ  ＲＯＵＴＩＮＧ  ＯＦ  ＭＥＤＩＡ  ＣＯＮＮＥＣＴＩＯＮＳ  ＷＩＴＨＩＮ  Ａ  ＳＩＮＧＬＥ  ＣＯＭＭＵＮＩＣＡＴＩＯＮＳ  ＳＹＳＴＥＭ  ＡＣＲＯＳＳ  ＰＵＢＬＩＣ  ＯＲ  ＰＲＩＶＡＴＥ  ＮＥＴＷＯＲＫ  ＦＡＣＩＬＩＴＩＥＳ」
【特許文献３】米国特許第６１９２１２２号
【特許文献４】米国特許第第６１７３０５３号
【特許文献５】米国特許第第６１６３６０７号
【特許文献６】米国特許第第５９８２８７３号
【特許文献７】米国特許第第５９０５７９３号
【特許文献８】米国特許第第５８２８７４７号
【特許文献９】米国特許第第５２０６９０３号
【発明の開示】
【発明が解決しようとする課題】
【００１０】
特に単一サーバ・システムにおいて、特に高トラフィック期間中にＩＰ帯域幅使用を有効に管理し、および／またはＷＡＮに付随する問題がある場合に代替通信経路を提供するコール制御システムが必要である。
【課題を解決するための手段】
【００１１】
これらおよび他の必要性は、本発明の様々な実施形態および構成によって対処される。本発明は、一般に、コミュニティの一般的なまたは共通のアドレスを使用するユーザ／加入者のコミュニティについて、特にトランクを介して、公衆ネットワークまたは私設ネットワーク（企業通信制御装置によって通常は所有または管理されていない）のゲートウエイ間接続を確立することを対象とする。本明細書において使用される際に、「ゲートウエイ」は、ゲートウエイだけでなく、ポート・ネットワークなど、同様の機能を提供する装置をも指す。
【００１２】
一実施形態では、本発明は、
（ａ）企業ネットワークの地理的に位置の異なる第１ネットワーク領域および第２ネットワーク領域を提供し、第１ネットワーク領域および第２ネットワーク領域が、第１ネットワークおよび第２ネットワークを経て互いに通信し、かつ、第１ネットワークに接続された第１ゲートウエイおよび第２ゲートウエイならびに第１グループおよび第２グループのトランクをそれぞれ含み、共通電子アドレス（たとえば、電話番号）が、トランクの第２グループのトランクに関連付けられるステップと、
（ｂ）第１ネットワーク領域が、第１加入者から、実時間またはほぼ実時間の通信セッションを確立する要求の一部として、第２ネットワーク領域の第２加入者を識別する第１電子アドレスを受信するステップと、
（ｃ）第１ネットワーク領域が、外出通信において、共通電子アドレスを第２ネットワーク領域に送信するステップと、
（ｄ）外出通信が、第２ネットワーク領域によって応答された後、セッションのベアラ経路上において、識別子を第２ネットワーク領域に送信するステップとを含む、電気通信方法を対象とする。識別子は、選択時間期間中にコール制御装置によって送信される他の識別子に対して、一般に一意である。例として、識別子は、第２加入者および／または無関係のファントム・ユーザに関連付けられるユーザ識別子、サービス記録識別子、ポート識別子、無作為数または擬似無作為数などとすることが可能である。識別子は、通信を第２加入者へ向けるために使用される。「通信」は、有線または無線のライブ・ボイス・コール、インスタント・メッセージング・セッション、ショート・メッセージ・サービスすなわちＳＭＳセッション、チャット・セッションなど、任意の実時間またはほぼ実時間の通信とすることが可能である。
【００１３】
第１ネットワークおよび第２ネットワークは、接続指向または無接続、および有線または無線とすることが可能である。第１ネットワークおよび第２ネットワークは、たとえばライブ・ボイス通信についてなど、同じタイプの通信について異なるプロトコルおよび／または切替え機構を使用するという点で、一般に、互いに別個で独立である。１つの好ましい構成では、第１ネットワークは、回路切替えであり、第２ネットワークは、パケット切替えである。
【００１４】
この実施形態では、ユーザのコミュニティは、各コミュニティのメンバ数より少ないいくつかの電子アドレスを使用して接続することができる。たとえば、ユーザＡ１−ＡｎおよびＢ１−Ｂｎの２つのコミュニティが与えられると、ＰＳＴＮおよび共通電話番号を使用して、任意のユーザＡｉから任意のユーザＢｊに接続することができる。接続は、通常、ＡｉまたはＢｊの行為または補助を必要とせず、トランク・コールが手作業でまたは自動的にアテンダントにアクセスする必要性を排除する。
【００１５】
たとえば、単一または共通の通信制御装置によってゲートウエイを介して管理される位置またはネットワーク領域ＸおよびＹを有する企業ネットワークでは、共通の所定の公的アドレス（たとえば、ＤＩＤ番号）が、側Ｂにおいて複数の入りベアラ接続またはトランクに割り当てられる。ユーザＢ１〜ＢｎのコミュニティのあらゆるメンバＢｊが、固有の公的アドレスを必要としない。コールが公的アドレスに到達するという事実が、入りトランクをゲートウエイ間接続として識別する。入りコールは、自動的に応答され、バンド内シグナリングを介して、外出トランクおよび入りトランクは、デジットの固有セットを交換し、このセットにより、共通コール制御装置は、外出トランクおよび入りトランクを完全終端間接続の２つの端部として関連付ける。交換されたバンド内デジットは、ユーザＡまたはＢを直接識別しない。むしろ、入りトランクＴｙに対して外出トランクＴｘを識別するために使用される。ＴｘおよびＴｙが対にされた後、トランク接続は、位置ＸとＹとの間において現在確立されている任意のコールについて使用することができる。したがって、複数のベアラ接続を同時に確立することができるが、同じＢ側アドレスに終端する。１つの公的アドレスを有することにより、宛先ゲートウエイ上の各エンティティが、それぞれの固有公的アドレスを有する必要性を排除することができる。この構成は、１次接続ネットワークが利用可能でないとき、発信ユーザが手作業で異なるアドレスをダイヤルする負担をも排除する。
【００１６】
これらおよび他の利点は、本明細書に包含される本発明の開示から明らかになるであろう。
本明細書において使用される際に、「・・・および・・・の少なくとも１つ」、「・・・または・・・の少なくとも１つ」、「・・・および・・・の１つまたは複数」、「・・・または・・・の１つまたは複数」、ならびに「および／または」は、動作が接合的および分離的の両方である開放表現である。たとえば、「Ａ、Ｂ、およびＣの少なくとも１つ」、「Ａ、Ｂ、またはＣの少なくとも１つ」、「Ａ、Ｂ、およびＣの１つまたは複数」、「Ａ、Ｂ、またはＣの１つまたは複数」、ならびに「Ａ、Ｂ、および／またはＣ」という表現はそれぞれ、Ａのみ、Ｂのみ、Ｃのみ、ＡおよびＢ共に、ＡおよびＣ共に、ＢおよびＣ共に、ならびにＡ、Ｂ、Ｃ共に、を意味する。
【００１７】
上記で記述された実施形態および構成は、完全でも包括的でもない。理解されるように、本発明の他の実施形態は、上記で述べられた、または以下において詳細に記述される特徴の１つまたは複数を単独で、または組合わせて使用することが可能である。
【発明を実施するための最良の形態】
【００１８】
図２は、本発明の一実施形態によるアーキテクチャを示す。アーキテクチャは、地理的に位置の異なる第１領域２０２および第２領域２０６を有する単一企業ネットワークにある。第１領域２０２は、複数の加入者デジタル局２０４ａ〜ｉに接続され、かつ制御ＬＡＮすなわちＣ−ＬＡＮ２１２およびベアラ２１６を介して複数の加入者ＩＰ局２０８ａ〜ｊに接続された１次または活動メディア・サーバ２００、ならびに第１ゲートウエイ２２０を含む。第２領域２０６は、複数の加入者デジタル局２３２ａ〜ｋに接続され、かつＣ−ＬＡＮ２４０およびベアラＬＡＮ２４４を介して複数の加入者パケット切替え局２３６ａ〜ｌに接続されたスペアまたは第２メディア・サーバ２２８、ならびに第２ゲートウエイ２２４を含む。第１ゲートウエイ２２０および第２ゲートウエイ２２４は、ＰＳＴＮ２４８およびＷＡＮ２５２を介して相互接続される。
【００１９】
加入者デジタル局およびパケット切替え局のそれぞれは、１つまたは複数の有線または無線のパケット切替えおよび／または回路切替えの通信装置とそれぞれすることができる。たとえば、デジタル局は、デジタル通信プロトコルすなわちＤＣＰフォンなどのデジタル電話、ボイス・メッセージングおよび応答ユニット、従来のコンピュータ電話付随物、ならびに有線および無線の回路切替え電話とすることができ、パケット切替え局は、アバイア社の４６００シリーズＩＰ  Ｐｈｏｎｅ（商標）、アバイア社のＩＰ  Ｓｏｆｔｐｈｏｎｅ（商標）などのＩＰソフトフォン、パーソナル・デジタル・アシスタントすなわちＰＤＡ、パーソナル・コンピュータすなわちＰＣ、ラップトップ、ならびにＨ．３２０ビデオ・フォンおよび会議ユニットとすることができる。
【００２０】
第１ゲートウエイおよび第２デートウエイのそれぞれは、電子信号中継器およびプロトコル変換器であり、様々なタイプの局と外部パケット切替えおよび／または回路切替え電話線（アナログ・トランク、ＩＳＤＮ線、Ｅ１／Ｔ１ボイス・トランク、およびＷＡＮ経路指定ＩＰトランクなど）との接続を支援する電話交換サービスを一般に提供する。電話線は、通常、シャーシ上のポートおよびメディア・モジュールを介してゲートウエイに接続され、異なるメディア・モジュールが、異なるタイプの局および線のアクセス・ポートを提供する。パケット切替えプロトコルと回路切替えプロトコルとの間のボイスおよびシグナリング・データは、通常、ボイス経路をゲートウエイ内のＴＤＭバスに変換するメディア・モジュールによって実施される。ボイス・オーバーＩＰまたはＶｏＩＰエンジンなどのエンジンが、通常はイーサネット（登録商標）接続上において、ＴＤＭバスから圧縮または無圧縮のパケット化ＶｏＩＰにボイス経路を変換する。各ゲートウエイは通常、（ＤＴＭＦ）トーン検出、トーン生成、オーディオ（音楽および／またはボイス）公示の再生、トラフィック成形、コール許可制御、ならびにメディア・プロセッサなどの選択された電気通信機能を実施するいくつかのポートおよびトランク回路パック、さらに１つまたは複数のＩＰサーバ・インタフェースを含む。ゲートウエイの例には、アバイア社のＳＣＣ１（商標）、ＭＣＣ１（商標）、ＣＭＣ（商標）、Ｇ３５０（商標）、Ｇ６００（商標）、Ｇ６５０（商標）、およびＧ７００（商標）がある。
【００２１】
Ｃ−ＬＡＮ２１２および２４０、ベアラＬＡＮ２１６および２４４、ならびにＷＡＮ２５２は、パケット切替えであり、プロトコルのＴＣＰ／ＩＰスート、イーサネット（登録商標）・プロトコル、セッション初期化プロトコルすなわちＳＩＰ、および／またはＨ．３２３プロトコルなど、任意の適切なプロトコルを使用することが可能である。
【００２２】
ゲートウエイを制御する１次およびスペア・メディア・サーバは、回路切替えおよび／またはパケット切替え顧客接点を１つまたは複数の局に向ける任意の収束アーキテクチャとすることができる。理解されるように、１次メディア・サーバは、通常、第１ゲートウエイおよび第２ゲートウエイを制御する。甚大なＷＡＮの欠陥のためなど、第２ゲートウエイに関して通信損失がある場合、スペア・メディア・サーバが活動して、第２ゲートウエイ２２４に対する制御を引き継ぐ。制御または接続の損失は、ハートビートまたはポーリング機構によって通常決定される。一般に、メディア・サーバは、記憶プログラム制御システムであり、従来、外部通信リンクに対するインタフェース、通信切替えファブリック、サービス回路（たとえば、トーン検出器および生成装置、公示回路など）、制御プログラムおよびデータを記憶するメモリ、ならびに、インタフェースおよびファブリックを制御して、自動接点分配機能を提供するように記憶制御プログラムを実行するプロセッサ（すなわち、コンピュータ）を含む。例として、メディア・サーバは、すべて参照によって本明細書に組み込まれている、米国特許第６１９２１２２号、第６１７３０５３号、第６１６３６０７号、第５９８２８７３号、第５９０５７９３号、第５８２８７４７号、および第５２０６９０３号において開示されている加入者構内機器の修正形態、アバイア社のＤｅｆｉｎｉｔｙ（商標）構内交換（ＰＢＸ）に基づくＡＣＤシステム、アバイア社のＩＰ６００（商標）ＬＡＮベースＡＣＤシステム、または、コール処理能力および接点センタ機能を有するアバイア社のＣｏｍｍｕｎｉｃａｔｉｏｎ  Ｍａｎａｇｅｒ（商標）ボイス・アプリケーション・ソフトウエアの修正バージョンを実行するＳ８１００（商標）、Ｓ８３００（商標）、Ｓ８５００（商標）、Ｓ８７００（商標）、もしくはＳ８７１０（商標）のメディア・サーバとすることができる。他のタイプの既知のスイッチおよびサーバが、当技術分野において周知であり、したがって、本明細書では詳細には記述されない。
【００２３】
１次メディア・サーバ２００およびスペア・メディア・サーバ２２８のそれぞれは、コール制御装置機能２５６、ゲートウエイ間経路指定エージェント２６０、およびコールに関係付けられたデータ構造２６４を含む。コール制御装置２５６は、コール許可制御、漸進的コール制御、および発信コール制御など、コール制御動作を実施し、ゲートウエイ間経路指定エージェントは、ＷＡＮ２５２がベアラ接続を実施することができないと判定されるとき、ＰＳＴＮ２４８の回路切替えトランク（たとえば、公衆または私設のＩＳＤＮ  ＰＲＩ／ＢＲＩトランクおよびＲ２ＭＦＣトランク）上においてコール（（ゲートウエイ間代替経路すなわちＩＧＡＲコール）と呼ばれる）を代わりに経路指定する。ＷＡＮは、以下の１つまたは複数が真であるとき、ベアラ接続を実施することができないと判定される可能性がある：通信について望ましいＱｏＳおよび／またはＧＯＳが、ＷＡＮを使用して現在利用可能ではない、通信が、ＷＡＮを使用して実施することが可能ではない、システムの構成が、選択された通信タイプについてＷＡＮの使用を排除または阻害する、意図した接触器が、通信にＷＡＮを使用することを望まない、など。コール許可制御（または帯域幅制限）により割り付けられたコールの数または帯域幅（たとえば、パケット切替え局、トランク、および／またはメディア・ゲートウエイにおけるＫｂｉｔｓ／秒またはＭｂｉｔｓ／秒、ならびに／あるいは明確な接続数）に到達し、第１ゲートウエイおよび／または第２ゲートウエイにおいてボイス・オーバーＩＰまたはＶｏＩＰのリソース（たとえば、ＲＴＰリソース）が枯渇し、ネットワーク領域対間のコデック・セットが規定されず、ネットワーク領域の対間の強制再方向付けが実施されるとき、ならびに／あるいは、第２ゲートウエイ２２４の制御が、１次メディア・サーバによって失われるとき（たとえば、パケット切替えＷＡＮ２５２が、甚大な欠陥を有し、その結果、活動メディア・サーバを有する各領域２０２および２０６でネットワークが分割されるとき）、ＷＡＮ２５２は、通常、不能であると判定される。エージェントは、ＩＧＡＲコールのボイス・ベアラ部分が、代替ＰＳＴＮ設備の上において再経路指定される場合でも、別々のポート・ネットワーク領域にある１対のゲートウエイ間において、ＩＧＡＲコールの内部マークアップを維持することができる。このようにして、エージェント２６０は、多数のブランチ・オフィスおよび分散コール・センタを有する大規模分散単一サーバ電気通信ネットワークに、望ましいレベルのＱｏＳおよび／またはＧＯＳを提供することができる。
【００２４】
理解されるように、ＩＧＡＲコールは、加入者間のコール以外の理由で、ＰＳＴＮ上において経路指定されることが可能である。たとえば、１つのネットワーク領域の局を他のネットワーク領域の局のコール出現に架橋することができ、１つのネットワーク領域の入りトランクが、他のネットワーク領域のエージェントとハント・グループに経路指定され、１つのネットワーク領域からの公示源または音楽源が、他のネットワーク領域のパーティに対して再生されなければならない。
【００２５】
一構成では、各ネットワーク領域が、ＰＳＴＮ設備上でのコールのセット・アップ中にダイヤルされる１つまたは複数の固有ＤＩＤ番号（ＬＤＮのＩＧＡＲリスト・ディレクトリ番号とも呼ばれる）を割り当てられる。ＩＧＡＲ  ＬＤＮは、グループ・タイプ番号であり、複数のコールに応答して、各コールをファントムＩＧＡＲユーザ（一般に発呼者および被呼者に無関係である）に割り当てることができる。ＬＤＮは、単一ＤＩＤ番号として作用し、これは、選択ネットワーク領域に位置する１セットの加入者の任意のメンバに到達するように、ダイヤルされることが可能である。この構成は、本質的に、発呼者が各ユーザの離散ＤＩＤ番号をダイヤルすることを必要とせずに、コールを向けることができる「仮想応対係」すなわち自動アテンダントを提供する。通常、自動経路選択すなわちＡＲＳ、あるいは自動代替経路指定すなわちＡＡＲが、１つのネットワーク領域から他のネットワーク領域について管理されるＬＤＮ拡張子にトランク（ＩＧＡＲ）コールを経路指定するために使用される。このようにして、入りＩＧＡＲコールを受信するゲートウエイは、収集されたデジットから、コールが、ホスト・ネットワーク領域に対応するＬＤＮ拡張子に向けられることを決定することができる。
【００２６】
一構成では、ＩＧＡＲコールまたは特徴の呼出しが終了するとき、エージェント２６０は、指定時間期間、および／または所定の事象が終了するまで（サービスがＷＡＮに復元される、あるいは、帯域幅および／またはＶｏＩＰリソースが利用可能になる、など）、ＩＧＡＲトランク接続をキャッシュする。キャッシュは、接続が、同じまたは異なる加入者間において後続コールに必要な場合に利用可能である。トランク・ゲートウエイ間接続のセット・アップは、ユーザ知覚コール・セットアップ時間の観点でコストがかかり、通常、完了するのに少なくとも数秒を必要とする。キャッシュは、新しいトランク・ゲートウエイ間接続を瞬時に提供することができ、それにより、発呼者によって知覚される観測可能な遅延を排除する。時間期間が満了するとき、および／または規定事象が終了するとき、キャッシュされたトランク・ゲートウエイ間接続は、ドロップされることが可能であり、外出トランクおよび入りトランクは、通常コールについて再び利用可能となる。
【００２７】
ゲートウエイ間接続を確定する２つのトランクの少なくとも一方が、上記で留意されたようにＡＲＳ経路指定などによって選択され、トランク・ゲートウエイ間接続の他端が、望ましい遠端ネットワーク領域において終端するとき、トランク・ゲートウエイ間接続は、一般にキャッシュから選択される。トランクが、２つのネットワーク領域間において必要とされ、かつ、トランクが、ネットワーク領域最大トランク限界を超えているために現在は利用可能ではない場合、また、そのネットワーク領域と他のネットワーク領域との間のトランク・ゲートウエイ間が、キャッシュにおいて利用可能である場合、キャッシュ・トランク・ゲートウエイ間接続はドロップされて、新しく利用可能な外出トランクが、トランク・ゲートウエイ間接続をセット・アップするために使用されることが可能である。
【００２８】
トランク・ゲートウエイ間接続をセット・アップするために必要とされる時間の長さがユーザに与える影響を最小限に抑えるために、被呼パーティは、トランク・コールが活動する（すなわち、応答される、確認される、および切断される）まで、一般に警告されない（たとえば、フラッシュ・ランプなし、表示更新なし、および呼出し音なし）。発呼パーティは、瞬時にリングバック・トーンを聞き、トランク・ゲートウエイ間接続が、局所カバレージの呼出し音の管理数よりセット・アップに長くかかる場合、コールは、第１カバレージ点に進むことが可能である。
【００２９】
一構成では、２つのタイプのＩＧＡＲコール、すなわち、ＩＧＡＲ帯域幅管理コールおよびＩＧＡＲネットワーク断片化コールが存在する。ＩＧＡＲ帯域幅管理コールは、コール許可制御（または帯域幅限界）を介して割り付けられるコール数または帯域幅に到達して、第１ゲートウエイおよび／または第２ゲートウエイにおけるボイス・オーバーＩＰすなわちＶｏＩＰリソースの枯渇に遭遇し、ネットワーク領域対間のコデック・セットが規定されず、１対のネットワーク領域間の強制再方向付けが実施されるときに配置される。ＩＧＡＲ帯域幅管理コールでは、コールのベアラ経路またはチャネルは、ＰＳＴＮ２４８上において経路指定され、シグナリング・チャネルは、ＷＡＮ２５２上で経路指定される。ＩＧＡＲネットワーク断片化コールは、１次メディア・サーバが第２ゲートウエイ２２４の制御を失うときに配置される。理解されるように、ネットワークの断片化または分割が行われるとき、第２ゲートウエイは登録されず、スペア・メディア・サーバ２２８は、第２ゲートウエイ２２４の制御を担う。ＷＡＮが利用可能ではないので、ＩＧＡＲコールのベアラおよびシグナリング・チャネルの両方は、ＰＳＴＮ２４８上において経路指定される。
【００３０】
図３Ａは、ＩＧＡＲ帯域幅管理コールにおける様々なコール構成要素のデータ構造２６４を示す。コール構成要素は、加入者によってダイヤルされる主コールまたは発信コール３００、ファントムＩＧＡＲユーザ（発呼者に無関係）を発信者として使用するＩＧＡＲ外出コール３０４、および異なるファントムＩＧＡＲユーザ（被呼者に無関係）を宛先として使用するＩＧＡＲ入りコール３０８を含む。図３Ａの例では、「ＣＩＤ」または［ｃｉｄ］はコール識別子、「ｕｉｄ」はユーザ識別子、「ＳＩＤ」はサービス識別子、および「Ｐｏｒｔｉｄ」はポート識別子を指す。理解されるように、コール識別子、ユーザ識別子、およびサービス識別子は、同じタイプの他の識別子に関して一意である任意の数字、アルファベット、または英数字の変数、もしくは変数の集合体とすることができる。図３Ａの変数に関して、「Ａ」は、第１ネットワーク領域２０２のコール発信器であり、「Ｂ」は、第２ネットワーク領域２０６の被呼者であり、「Ｘ」は、主コール（加入者Ａによってダイヤルされる）のコール識別子であり、「Ｙ」は、第１ゲートウエイにおけるファントムＩＧＡＲユーザ「ＩＲＴＥ／２」から、第１ゲートウエイから延びる外出トランク「ＴＧ−アウト」への外出ＩＧＡＲコールのコール識別子であり、「Ｚ」は、第２ゲートウエイにおけるファントムＩＧＡＲユーザ「ＩＲＴＥ／１」から第１ゲートウエイ内への入りトランク「Ｔｒｋ−イン」への入りＩＧＡＲコールのコール識別子であり、「ポートｉｄ（Ａ）」は、第１ネットワーク領域におけるＡのそれぞれの局に対応するポート識別子を指し、「ポートｉｄ（Ｂ）」は、第２ネットワーク領域におけるＢのそれぞれの局に対応するポート識別子を指し、「ネットワーク領域＝１」は、第１ネットワーク領域を指し、「ネットワーク領域＝２」は、第２ネットワーク領域を指し、「ポートｉｄ（Ｔｒｋ−アウト）」は、第１ネットワーク領域における外出トランクに対応するポート識別子であり、「ポートｉｄ（Ｔｒｋ−イン）」は、第２ネットワーク領域における入りトランクに対応するポート識別子である。上部レベル３１２は、コール処理層において維持されるデータ構造、中間レベル３１６は、ユーザ層において維持されるデータ構造、下部レベル３２０は、接続層において維持されるデータ構造を示す。主コール・データ構造は、図４および５を参照して以下において記述されるように、バンド内シグナリングが、第１ゲートウエイによって第２ゲートウエイに提供された後、エージェント２６０によって完成される。
【００３１】
図３Ｂは、ＩＧＡＲネットワーク断片化コールにおけるコール構成要素のデータ構造を示す。図３Ａの３つのコール構成要素とは異なり、ネットワーク断片化コールについては、２つのコール構成要素のみ、すなわち外出コールおよび入りコールが存在する。ファントム・ユーザは、データ構造では使用されない。むしろ、ＡおよびＢのユーザ識別子が使用される。それ以外については、頭文字は、図３Ａと同じである。
【００３２】
ここで図３〜５を参照して、エージェント２６０の動作について記述する。
ステップ４００において、コール制御装置２５６は、既存サービス「ＳＩＤ＝Ｘ」について新しいポート接続要求を受信し、決定ダイアモンド４０４において、サービスにおいて新しいポート（ポートｉｄ（Ｂ））を他のポート（ポートｉｄ（Ａ））に接続するために、ＩＧＡＲ接続が必要であると判定する。制御装置２５６は、トランク設備と接続される必要がある２つのネットワーク領域の識別子を示すＩＧＡＲ要求をエージェント２６０に対して作成する。要求は、通常、ＩＧＡＲコール識別子、ＩＧＡＲコール・タイプ識別子、ポート（Ｂ）のポート指標およびシステム識別子、源ゲートウエイ識別子（ポートＢの）、ならびに宛先ゲートウエイ識別子（ポートＡの）を含む。ネットワーク、ゲートウエイ、ＩＧＡＲ、およびＩＧＡＲコール・タイプの識別子は、同じタイプの他の識別子に関して一意である任意の数字、アルファベット、または英数字の変数、もしくは変数の集合体とすることができる。
【００３３】
決定ダイアモンド４０８において、エージェント２６０は、利用可能なトランク・メンバが各領域に存在するかを判定する。各領域のトランク・メンバが不十分である場合、エージェント２６０は、要求を拒否する。その場合、または決定ダイアモンド４０４においてゲートウエイ間接続が必要ではない場合、コール制御装置２５６は、コールの従来の処理を続行する。十分なトランク・メンバが各領域に存在する場合、エージェント２６０は、ステップ４１６に進む。
【００３４】
ステップ４１６において、エージェント２６０は、外出コールを発信する。ＩＧＡＲ帯域幅管理コールでは、コールは、ファントムＩＧＡＲユーザ（ＩＲＣ−Ｙ）によって発信され、ＩＧＡＲネットワーク断片化コールでは、コールは、加入者Ａによって発信される。ＩＧＡＲユーザは、通常、ユーザの表指標ＩＲＣ＝Ｙによって識別される。コール制御装置２５６は、ＩＧＡＲコール発信を受信し、新しいコール記録／ＩＧＡＲコールのコール記録（すなわち、ＣＩＤ＝ＹおよびＳＩＤ＝Ｙ）が、図３Ａおよび３Ｂに示されるように創出される。
【００３５】
ステップ４２０において、エージェント２６０は、公衆ネットワーク番号を構築してダイヤルし、この番号は、ＰＳＴＮトランキング・ネットワークを経て経路指定され、第２ゲートウエイ上のトランクにおいて終端する。エージェントは、第１に、トランク・グループのメンバを通る一連のパスを作成することによって、トランクを選択して確保する。第１パスは、発信器のゲートウエイにおいてメンバを探索する。第１パスが不首尾である場合、第２パスが、発信器のゲートウエイにおいてではないが、依然として発信器のネットワーク領域においてメンバを探す。第１パスおよび第２パスが不首尾である場合、第３パスが、他のネットワーク領域からトランクを選択する。理解されるように、トランクは、他のネットワーク領域が発信器ネットワーク領域に依然として接続され、かつそれにアクセス可能である場合、他のネットワーク領域から取られることが可能である。
【００３６】
ステップ４２８において、ダイヤルされたデジットは、ＰＳＴＮ２４８に送られ、コール制御装置２５４は、選択されたトランク「ＴＧ−アウト」をＩＧＡＲ帯域幅管理コールのサービスＳＩＤ＝ＹおよびＩＧＡＲネットワーク断片化コールのサービスＳＩＤ＝Ｘに追加する。
【００３７】
エージェント２６０は、ステップ４３２において、ＩＧＡＲコール・アソシエーションを準備し、コールを中断する。ＩＧＡＲ帯域幅管理コールについてＣＩＤ＝Ｙ、およびＩＧＡＲネットワーク断片化コールについてＣＩＤ＝Ｘにおいて、首尾よくトランクが終端すると、エージェント２６０は、デジットのデジット集合体リソースが、ＩＧＡＲコールと接続されている第２ゲートウエイによって転送されることを要求する。
【００３８】
図５では、第２ゲートウエイ２２４は、ステップ５００において、入りＩＧＡＲコールを受信する。第２ゲートウエイは、制御メディア・サーバ（１次メディア・サーバであってもスペア・メディア・サーバであっても）に入りコール情報を通知する。
【００３９】
ステップ５０４において、制御メディア・サーバは、入りコールに対して通常のコール処理を実施し、ＩＧＡＲ帯域幅管理コールについて新しいコール記録（ＣＩＤ＝ＺおよびＳＩＤ＝Ｚ）、ならびにＩＧＡＲネットワーク断片化コールについてＣＩＤ＝Ｚを創出する。デジットが分析されるまで、制御メディア・サーバは、これが入りＩＧＡＲコールであることを認識しない。したがって、当初創出されるデータ構造は、入りコールについて通常創出されるデータ構造である。
【００４０】
ステップ５０８において、入りＩＧＡＲコール・デジットは収集され、制御メディア・サーバに提供され、制御メディア・サーバによって、第２ネットワーク領域に対応するＩＧＡＲ  ＬＤＮにマッピングされる。この段階で、コールは、制御メディア・サーバによって入りＩＧＡＲコールと認識される。
【００４１】
ステップ５１２において、コールは、制御メディア・サーバによって選択ファントムＩＧＡＲユーザ（「ＩＲＴＥ／１」）に経路指定されて、名称付けされる。ＩＧＡＲコールのタイプは未知であるので、入りコールの図３Ｂのデータ構造は、ユーザＢの代わりであるファントムＩＧＡＲユーザを有する。
【００４２】
ステップ５１６において、入りトランク・コールは、自動的に応答される。トランクが切断された後、双方向ＤＴＭＦ送信を含むハンドシェークが、ＩＧＡＲコールのタイプを決定するために行われる。両方のタイプのＩＧＡＲコールについて、コールが応答されるとき、制御メディア・サーバは、応答を第１ゲート上に再び示すために、デジットまたはデジットの集合体を反復して端間シグナリングするように第２デートウエイに命令する。
【００４３】
ここで、ＩＧＡＲ帯域幅管理コールの他のプロセスについて、ステップ５２０〜５２８および４４０〜４４４を参照して議論する。ステップ５２０において、１次メディア・サーバは、デジットの受信が肯定応答されるとき、ＣＩＤ＝Ｚに対するコール処理を中断して、入りコール・アソシエーション情報を待機する。ステップ４４０において、デジットが１次メディア・サーバによって認識されるとき、第１ゲートウエイは、一連のデジットを再び入りトランクおよび終端ユーザに向けて端間バンド内シグナリングする。信号は、ＩＧＡＲコールのタイプおよびＩＲＣ＝Ｙユーザの識別子を含む。ステップ４４４において、１次メディア・サーバは、ＣＩＤ＝Ｙに対するコール処理を中断する。ステップ５２４において、ＩＲＣ＝Ｙユーザを示すデジットは収集され、１次メディア・サーバによって、ＩＲＣ＝Ｙユーザまたはエージェント２６０に渡される。エージェント２６０は、ＣＩＤ＝ＹおよびＣＩＤ＝Ｚを抽出して、ＣＩＤ＝ＹおよびＣＩＤ＝Ｚが、ＩＧＡＲ要求を満たす２つの領域間トランク・ポートを含むことをコール制御装置に通知する。ステップ５２８において、コール制御装置は、ステップ５２８で１つが各サービスにある２つのトランク・ポートを見つけ、ポートＡをトランクＹと接続し、ポートＢをトランクＺと接続する。
【００４４】
ここで、ＩＧＡＲネットワーク断片化コールの他のプロセスについて、ステップ５３２〜５３６および４４８〜４５２を参照して議論する。スペア・メディア・サーバは、デジットの受信が肯定応答されるとき、ＣＩＤ＝Ｚに対するコール処理を中断して、入りコール・アソシエーション情報を待機する。ステップ４４８において、デジットが１次メディア・サーバによって認識されるとき、第１ゲートウエイは、一連のデジットを再び入りトランクおよび終端ユーザに向けてバンド内シグナリングする。一連のデジットは、ＩＧＡＲコールのタイプおよびユーザＢの識別子を含む。ステップ５２４において、ユーザＢを識別するデジットは収集され、その後、ＰＳＴＮコールの通常のコール処理が行われる。
【００４５】
ステップ５４４において、他のコール処理が、従来の技法を使用して、ＩＧＡＲコールのいずれかのタイプに対して続行される。たとえば他のコール処理は、コール・カバレージおよびハンティングを含むことができる。
【００４６】
本発明のいくつかの変形および修正を使用することができる。他の特徴を提供せずに、本発明のいくつかの特徴を提供することが可能である。
たとえば、１つの代替実施形態では、ＬＤＮが、選択ネットワーク領域に接続された各回路切替えトランクに割り当てられる。この構成は、コール・アソシエーションを簡単にするが、企業が、はるかにより多数の公衆ネットワーク番号を購入することを必要とし、これは、高価であることがある。さらに、音楽保留および／または公示リソースなどのあるリソースが、公的アドレス指定可能拡張子を有さない。
【００４７】
他の代替実施形態では、第１メディア・サーバは、第２メディア・サーバを呼び出し、次いで、タッチ・トーン受信器を取り付けて、第２メディア・サーバが応答するのを待機する。第２ネットワーク領域が応答するとき、第２メディア・サーバは、瞬時に、（通常は固有の）識別子を第１メディア・サーバにシグナリングする。第２メディア・サーバは、デジットが先行試行において失われている場合、送信を選択回数繰り返す。識別子は、第１メディア・サーバが、完全で適切な識別子を受信したことを確信することができることを保証するように、特別に符号化される。たとえば、識別子は、「８進法」において符号化して、デジット「９」を区切り文字として使用することができる。この場合、第１メディア・サーバは応答せず、固有識別子が有効であると確認された後、単にトランク・コールをベアラ・チャネルとして使用し始める。
【００４８】
さらに他の実施形態では、本発明は、単一分散企業ネットワークに限定されず、適切な変換情報が通信の各端部において利用可能であるとすれば、異なる企業のメディア・サーバによって使用されることが可能である。
さらに他の実施形態では、上記で記述された論理は、ソフトウエア、論理回路、またはその組み合わせとして実施されることが可能である。
【００４９】
本発明は、様々な実施形態、準組合わせ、およびその副集合を含めて、本明細書においてほぼ示され、かつ記述された構成要素、方法、プロセス、システム、および／または装置を様々な実施形態において含む。当業者なら、本開示を理解した後、本発明をどのように作成し、使用するかを理解するであろう。本発明は、たとえば性能を向上させる、容易さを達成する、および／または実施コストを下げるために、以前の装置またはプロセスにおいて使用されていた可能性があるような項目がない場合を含めて、本明細書または様々な実施形態において図示および／または記述されていない項目がない場合に、様々な実施形態において、装置およびプロセスを提供することを含む。
【００５０】
本発明の以上の議論は、例示および記述のために呈示された。以上は、本明細書において開示される１つまたは複数の形態に本発明を限定することを意図するものではない。たとえば以上の詳細な記述では、本発明の様々な特徴は、開示を合理化するために、１つまたは複数の実施形態において共にグループ化される。本開示の方法は、主張される発明が、各請求項において明確に述べられるより多くの特徴を必要とするという意図を反映すると解釈されるべきではない。むしろ、添付の請求項が反映するように、発明の態様は、単一の以上の開示された実施形態のすべての特徴より少ない。したがって、添付の請求項は、これによりこの詳細な記述に組み込まれ、各請求項は、本発明の別々の好ましい実施形態として、それ自体が独立である。
【００５１】
さらに、本発明の記述は、１つまたは複数の実施形態およびある変形および修正の記述を含んでいたが、他の変形および修正が、本発明の範囲内にあり、たとえば、本開示を理解した後、当業者の技能および知識内にあることが可能である。請求されるものに対する代替、交換可能、および／または等価な構造、機能、範囲、またはステップを含めて、そのような代替、交換可能、および／または等価な構造、機能、範囲、またはステップが本明細書において開示されているか否かにかかわらず、かつあらゆる特許を受けられる主題に公的に寄与することを意図せずに、許容される程度まで代替実施形態を含む権利を得ることが意図される。
【図面の簡単な説明】
【００５２】
【図１】従来の技術のコール制御アーキテクチャの図である。
【図２】本発明の一実施形態によるブロック図である。
【図３Ａ】ゲートウエイ間代替経路指定すなわちＩＧＡＲ帯域幅管理コールに関連するデータ構造のブロック図である。
【図３Ｂ】ＩＧＡＲネットワーク断片化コールに関連付けられるデータ構造のブロック図である。
【図４】ゲートウエイ間経路指定エージェントの動作実施形態を示すフローチャートである。
【図５】ゲートウエイ間経路指定エージェントの他の動作実施形態を示すフローチャートである。
【図１】
2006238419.tif 000003
【図２】
2006238419.tif 000004
【図３Ａ】
2006238419.tif 000005
【図３Ｂ】
2006238419.tif 000006
【図４】
2006238419.tif 000007
【図５】
2006238419.tif 000008
【外国語明細書】
2006238419.tif 000009
2006238419.tif 000010
2006238419.tif 000011
2006238419.tif 000012
2006238419.tif 000013
2006238419.tif 000014
2006238419.tif 000015
2006238419.tif 000016
2006238419.tif 000017
2006238419.tif 000018
2006238419.tif 000019
2006238419.tif 000020
2006238419.tif 000021
2006238419.tif 000022
2006238419.tif 000023
2006238419.tif 000024
2006238419.tif 000025
2006238419.tif 000026
2006238419.tif 000027
2006238419.tif 000028
2006238419.tif 000029
2006238419.tif 000030
2006238419.tif 000031
2006238419.tif 000032
2006238419.tif 000033
2006238419.tif 000034
2006238419.tif 000035
2006238419.tif 000036
2006238419.tif 000037
2006238419.tif 000038
2006238419.tif 000039